【手続補正書】
【提出日】平成18年9月6日(2006.9.6)
【手続補正１】
【補正対象書類名】明細書
【補正対象項目名】発明の名称
【補正方法】変更
【補正の内容】
【発明の名称】撮像装置及びその制御方法
【手続補正２】
【補正対象書類名】明細書
【補正対象項目名】特許請求の範囲
【補正方法】変更
【補正の内容】
【特許請求の範囲】
【請求項１】 電源投入時に第１の外部装置からダウンロードプログラムを受信する第１の通信手段と、
前記第１の通信手段による前記ダウンロードプログラムの受信が完了した後に当該受信したダウンロードプログラムを実行する制御手段と、
前記制御手段が前記ダウンロードプログラムを実行することによって第２の外部装置から制御プログラムを受信する第２の通信手段とを備えることを特徴とする撮像装置。
【請求項２】 前記第２の通信手段は前記第１の通信手段よりも速い通信速度にて前記制御プログラムの受信を行うことを特徴とする請求項１記載の撮像装置。
【請求項３】 複数の通信速度にて外部装置と通信可能であって前記外部装置からダウンロードプログラムおよび制御プログラムを受信する通信手段と、
前記ダウンロードプログラムを受信する際には前記通信手段の通信速度を第１の通信速度に設定し、前記制御プログラムを受信する際には前記通信手段の通信速度を前記第１の通信速度よりも高速な第２の通信速度に設定する通信速度設定手段とを備えることを特徴とする撮像装置。
【請求項４】 複数の通信速度にて外部装置と通信可能であって前記外部装置からダウンロードプログラムおよび制御プログラムを受信する通信手段と、
前記ダウンロードプログラムおよび前記制御プログラムを実行する制御手段と、
電源投入時に前記通信手段の通信速度を第１の通信速度に設定し、前記制御手段が前記ダウンロードプログラムを実行することによって、前記通信手段の通信速度を前記第１の通信速度よりも高速な第２の通信速度に設定する通信速度設定手段とを備えることを特徴とする撮像装置。
【請求項５】 外部装置からダウンロードプログラムおよび制御プログラムを受信する通信手段と、前記ダウンロードプログラムおよび前記制御プログラムを実行する制御手段とを有する撮像装置の制御方法であって、
前記撮像装置の電源投入時に前記通信手段の通信速度を第１の通信速度に設定する第１の通信速度設定ステップと、
前記通信手段が前記外部装置から前記ダウンロードプログラムを前記第１の通信速度で受信する第１の受信ステップと、
前記制御手段が受信した前記ダウンロードプログラムを実行する実行ステップと、
前記制御手段が前記ダウンロードプログラムを実行することによって、前記通信手段の通信速度を前記第１の通信速度よりも高速な第２の通信速度に設定する第２の通信速度設定ステップと、
前記通信手段が前記外部装置から前記制御プログラムを前記第２の通信速度で受信する第２の受信ステップとを有することを特徴とする制御方法。
【手続補正３】
【補正対象書類名】明細書
【補正対象項目名】０００１
【補正方法】変更
【補正の内容】
【０００１】
【発明の属する技術分野】
本発明は、撮像装置制御のために必要な制御データ等をダウンロードして使用される撮像装置及びその制御方法に関する。
【手続補正４】
【補正対象書類名】明細書
【補正対象項目名】００１２
【補正方法】変更
【補正の内容】
【００１２】
本発明は、これらの問題点を解決するためになされたもので、撮像装置への大規模な制御プログラムのダウンロードを高速に行うことができる撮像装置及びその制御方法を提供することを目的とする。
【手続補正５】
【補正対象書類名】明細書
【補正対象項目名】００１３
【補正方法】変更
【補正の内容】
【００１３】
【課題を解決するための手段】
上記目的を達成するために、本発明の撮像装置は、電源投入時に第１の外部装置からダウンロードプログラムを受信する第１の通信手段と、前記第１の通信手段による前記ダウンロードプログラムの受信が完了した後に当該受信したダウンロードプログラムを実行する制御手段と、前記制御手段が前記ダウンロードプログラムを実行することによって第２の外部装置から制御プログラムを受信する第２の通信手段とを備えることを特徴とする。
【手続補正６】
【補正対象書類名】明細書
【補正対象項目名】００１４
【補正方法】変更
【補正の内容】
【００１４】
本発明の撮像装置は、複数の通信速度にて外部装置と通信可能であって前記外部装置からダウンロードプログラムおよび制御プログラムを受信する通信手段と、前記ダウンロードプログラムを受信する際には前記通信手段の通信速度を第１の通信速度に設定し、前記制御プログラムを受信する際には前記通信手段の通信速度を前記第１の通信速度よりも高速な第２の通信速度に設定する通信速度設定手段とを備えることを特徴とする。
【手続補正７】
【補正対象書類名】明細書
【補正対象項目名】００１５
【補正方法】変更
【補正の内容】
【００１５】
本発明の撮像装置は、複数の通信速度にて外部装置と通信可能であって前記外部装置からダウンロードプログラムおよび制御プログラムを受信する通信手段と、前記ダウンロードプログラムおよび前記制御プログラムを実行する制御手段と、電源投入時に前記通信手段の通信速度を第１の通信速度に設定し、前記制御手段が前記ダウンロードプログラムを実行することによって、前記通信手段の通信速度を前記第１の通信速度よりも高速な第２の通信速度に設定する通信速度設定手段とを備えることを特徴とする。
【手続補正８】
【補正対象書類名】明細書
【補正対象項目名】００１６
【補正方法】変更
【補正の内容】
【００１６】
本発明の撮像装置の制御方法は、外部装置からダウンロードプログラムおよび制御プログラムを受信する通信手段と、前記ダウンロードプログラムおよび前記制御プログラムを実行する制御手段とを有する撮像装置の制御方法であって、前記撮像装置の電源投入時に前記通信手段の通信速度を第１の通信速度に設定する第１の通信速度設定ステップと、前記通信手段が前記外部装置から前記ダウンロードプログラムを前記第１の通信速度で受信する第１の受信ステップと、前記制御手段が受信した前記ダウンロードプログラムを実行する実行ステップと、前記制御手段が前記ダウンロードプログラムを実行することによって、前記通信手段の通信速度を前記第１の通信速度よりも高速な第２の通信速度に設定する第２の通信速度設定ステップと、前記通信手段が前記外部装置から前記制御プログラムを前記第２の通信速度で受信する第２の受信ステップとを有することを特徴とする。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００７８
【補正方法】変更
【補正の内容】
【００７８】
【発明の効果】
以上説明したように、本発明によれば、撮像装置への大規模な制御プログラムのダウンロードを高速に行うことができるという効果が得られる。
【手続補正３２】
【補正対象書類名】明細書
【補正対象項目名】００７９
【補正方法】削除
【補正の内容】
【手続補正３３】
【補正対象書類名】明細書
【補正対象項目名】００８０
【補正方法】削除
【補正の内容】
【手続補正３４】
【補正対象書類名】明細書
【補正対象項目名】００８１
【補正方法】削除
【補正の内容】
【手続補正３５】
【補正対象書類名】明細書
【補正対象項目名】００８２
【補正方法】削除
【補正の内容】
【手続補正３６】
【補正対象書類名】明細書
【補正対象項目名】００８３
【補正方法】削除
【補正の内容】
【手続補正３７】
【補正対象書類名】明細書
【補正対象項目名】００８４
【補正方法】削除
【補正の内容】
【手続補正３８】
【補正対象書類名】明細書
【補正対象項目名】００８５
【補正方法】削除
【補正の内容】
【手続補正３９】
【補正対象書類名】明細書
【補正対象項目名】００８６
【補正方法】削除
【補正の内容】
【手続補正４０】
【補正対象書類名】明細書
【補正対象項目名】００８７
【補正方法】削除
【補正の内容】